(57)【要約】【課題】  パネルが厚くなるのを抑制しつつ、パネルの大型化を図れる表示パネル、これを用いた移動体の表示モジュール、および電子機器を提供すること。【解決手段】  有機ＥＬパネル１０の封止基板１２には、有機ＥＬ素子の陰極と対向する側の内面に、有機ＥＬ素子の陰極との間に隙間を持つように突出した２つの補強部材１２ｅ，１２ｆが形成されている。封止基板１２が有機ＥＬ素子の陰極側に湾曲すると、補強部材１２ｅ，１２ｆの先端が有機ＥＬ素子の陰極に当たり、封止基板１２がそれ以上に変形するのが阻止されるので、封止基板１２の破損が防止される。また、封止基板１２の内面にその破損を防止するための補強部材１２ｅ，１２ｆが形成されているので、有機ＥＬパネル１０全体の厚さを薄くすることができる。【選択図】      図１
2006252989.tif 000002
【特許請求の範囲】
【請求項１】
発光素子をそれぞれ有する複数の画素がマトリクス状に配置された発光素子基板と、前記複数の画素の発光素子全体を密封するように前記発光素子基板に接合される封止基板と、を備えた表示パネルにおいて、
前記封止基板には、前記複数の画素の発光素子全体を収納する凹部が形成されており、
前記封止基板の前記発光素子と対向する側の内面には、前記発光素子との間に隙間を持つように突出した補強部材が形成されていることを特徴とする表示パネル。
【請求項２】
請求項１に記載の表示パネルにおいて、
前記表示パネルは、その有効表示エリア内に異なる画像を表示する複数の実表示領域を有し、
前記補強部材は、前記複数の実表示領域の間にできる非表示領域内に位置するように設けられていることを特徴とする表示パネル。
【請求項３】
請求項２に記載の表示パネルにおいて、
前記封止基板は前記凹部を囲む矩形状の凸部を有し、前記補強部材は前記矩形状の凸部の対向する２つの凸部間で延びる梁で構成されていることを特徴とする表示パネル。
【請求項４】
請求項３に記載の表示パネルにおいて、
前記封止基板の前記凹部は前記補強部材により複数の凹部に区画されており、該複数の凹部には、水分を吸収する板状の乾燥剤が前記内面に貼着されて個別に収納されていることを特徴とする表示パネル。
【請求項５】
請求項２に記載の表示パネルにおいて、
前記封止基板は前記凹部を囲む矩形状の凸部を有し、前記補強部材は前記凸部から離れて存在する突起で構成されていることを特徴とする表示パネル。
【請求項６】
請求項５に記載の表示パネルにおいて、
前記封止基板の凹部における前記突起の周囲空間には、水分を吸収する板状の乾燥剤が前記内面に貼着されて収納されていることを特徴とする表示パネル。
【請求項７】
請求項１〜６のいずれか一つに記載の表示パネルにおいて、
前記発光素子は、エレクトロルミネッセンス素子であることを特徴とする表示パネル。
【請求項８】
請求項１〜６のいずれか一つに記載の表示パネルを用いたことを特徴とする移動体の表示モジュール。
【請求項９】
請求項１〜６のいずれか一つに記載の表示パネルを用いたことを特徴とする電子機器。
【発明の詳細な説明】
【技術分野】
【０００１】
本発明は、有機ＥＬパネル等の表示パネル、これを用いた移動体の表示モジュール、および電子機器に関する。
【背景技術】
【０００２】
近年、有機ＥＬ素子を用いた有機ＥＬ（エレクトロルミネッセンス）パネルが、低消費比電力、高視野角、高コントラスト比で他の装置より優れているとして注目されている。
こうした有機ＥＬパネルとして、複数の画素電極、有機ＥＬ素子、薄膜トランジスタ、複数の配線が形成された基板と、複数の画素全体を覆うように基板の周縁部に矩形状の凸部が接合された封止部材とを備え、封止部材の内面に水分等を吸収可能な吸収剤が貼着された有機ＥＬ素子が知られている（例えば、特許文献１の図３参照）。
【０００３】
また、有機ＥＬパネルが大型化した場合であっても、封止部材の応力による破損および封止部材の変形に伴う有機ＥＬ素子の破損を防止するのを目的とした有機ＥＬパネルが知られている（特許文献２参照）。この有機ＥＬパネルは、透光性の支持基板と、この支持基板上に配設され、発光層を有する有機層を第１電極と第２電極とで挟持した積層体と、支持基板上に配設され、積層体を気密的に覆う封止基板と、この封止基板上に配設される補強板とを備える。
【特許文献１】特開２００３−２０８９７６号公報
【特許文献２】特開２００２−２１６９４８号公報
【発明の開示】
【発明が解決しようとする課題】
【０００４】
ところで、上記特許文献２に記載されているような従来の有機ＥＬパネルでは、封止基板上に補強板を接合し、この補強板により、封止基板が湾曲して破損するのを防止しているので、その補強板の分だけ表示パネル全体の厚さが厚くなってしまうという問題があった。
【０００５】
本発明は、このような従来の問題点に着目してなされたもので、その目的は、パネルが厚くなるのを抑制しつつ、パネルの大型化を図れる表示パネル、これを用いた移動体の表示モジュール、および電子機器を提供することにある。
【０００６】
また、本発明の別の目的は、高品質な表示が可能で寿命の長い大型の表示パネル、これを用いた移動体の表示モジュール、および電子機器を提供することにある。
【課題を解決するための手段】
【０００７】
本発明における表示パネルは、発光素子をそれぞれ有する複数の画素がマトリクス状に配置された発光素子基板と、前記複数の画素の発光素子全体を密封するように前記発光素子基板に接合される封止基板と、を備えた表示パネルにおいて、前記封止基板には、前記複数の画素の発光素子全体を収納する凹部が形成されており、前記封止基板の前記発光素子と対向する側の内面には、前記発光素子との間に隙間を持つように突出した補強部材が形成されていることを要旨とする。
【０００８】
これによれば、封止基板が発光素子側に湾曲すると、補強部材の先端が発光素子の電極、例えば、発光素子が有機ＥＬ素子の場合には陰極に当たり、封止基板がそれ以上に変形するのが阻止されるので、封止基板の破損が防止される。また、封止基板の内面にその破損を防止するための補強部材が形成されているので、封止基板の外面に補強板を接合した
表示パネルと比べて、表示パネル全体の厚さを薄くすることができる。したがって、パネルが厚くなるのを抑制しつつ、パネルの大型化を図ることができる。これにより、厚さが薄くて大型の表示パネルを実現できる。
【０００９】
この表示パネルにおいて、前記表示パネルは、その有効表示エリア内に異なる画像を表示する複数の実表示領域を有し、前記補強部材は、前記複数の実表示領域の間にできる非表示領域内に位置するように設けられていることを要旨とする。
【００１０】
これによれば、有効表示エリア内の複数の実表示領域で異なる画像を表示させるサイズの大きい表示パネルを作る場合、補強部材は、複数の実表示領域の間にできる非表示領域に位置するように設けられているので、補強部材が各実表示領域での表示に影響を及ぼすのが抑制される。また、補強部材が有る部分と無い部分とで熱伝導が変わってしまうので、長い時間点灯させると、補強部材が有る部分と無い部分とで発光素子の劣化特性が変わってしまい、表示品質の劣化や寿命が短くなるおそれがある。しかし、補強部材は、複数の実表示領域の間にできる非表示領域に位置するように設けられているので、表示品質の劣化を抑制できるとともに、寿命が短くなるのを抑制できる。したがって、高品質な表示が可能で寿命の長い大型の表示パネルを実現することができる。なお、このようなサイズの大きな表示パネルは、有効表示エリア内の複数の実表示領域で異なる画像として、例えば、自動車等の車両のインストルメントパネルに搭載される場合、スピードメータやタコメータ、ナビゲーション装置の地図画面等の画像を表示させるのに有効となる。
【００１１】
この表示パネルにおいて、前記封止基板は前記凹部を囲む矩形状の凸部を有し、前記補強部材は前記矩形状の凸部の対向する２つの凸部間で延びる梁で構成されていることを要旨とする。これによれば、補強部材を封止基板の矩形状の凸部の対向する２つの凸部間で延びる梁で構成しており、この梁によって封止基板の破損を防止できる。
【００１２】
この表示パネルにおいて、前記封止基板の前記凹部は、前記補強部材により複数の凹部に区画されており、該複数の凹部には、水分を吸収する板状の乾燥剤が前記内面に貼着されて個別に収納されていることを要旨とする。これによれば、補強部材により区画された複数の凹部は複数の実表示領域にそれぞれ対応しており、複数の凹部には乾燥剤がそれぞれ収納されているので、一つの表示パネルにおいて各実表示領域ごとに、封止基板の各凹部内に浸入する水分を各凹部内の乾燥剤で個別に吸収させることができ、発光素子の劣化を抑制できる。
【００１３】
この表示パネルにおいて、前記封止基板は前記凹部を囲む矩形状の凸部を有し、前記補強部材は前記凸部から離れて存在する突起で構成されていることを要旨とする。これによれば、補強部材を封止基板の矩形状の凸部から離れて存在する突起で構成しており、この突起によって封止基板の破損を防止できる。
【００１４】
この表示パネルにおいて、前記封止基板の凹部における前記突起の周囲空間には、水分を吸収する板状の乾燥剤が前記内面に貼着されて収納されていることを要旨とする。これによれば、封止基板の凹部における突起の周囲空間には乾燥剤が収納されているので、封止基板の凹部内に浸入する水分を乾燥剤で吸収することができ、発光素子の劣化を抑制できる。
【００１５】
この表示パネルにおいて、前記発光素子は、エレクトロルミネッセンス素子であることを要旨とする。これによれば、エレクトロルミネッセンス素子を用いた有機ＥＬパネル等のエレクトロルミネッセンスパネルの寿命を長くすることができる。
【００１６】
本発明における移動体の表示モジュールは、上記表示パネルを用いたことを要旨とする
。これによれば、表示パネルのサイズが大きくて、表示モジュール全体を薄くした移動体の表示モジュールを実現できる。また、１枚の表示パネルの複数の実表示領域を異なる画像を表示させる場合、サイズの大きな表示パネルの複数の実表示領域により、視認性が良く、高品質な表示が可能で寿命の長い移動体の表示モジュールを実現することができる。したがって、耐久性や安全性が重視される自動車等の車両、航空機、船舶、電車等の移動体に搭載される場合、移動体の速度、機関回転数、ナビゲーション装置の地図情報等を複数の実表示領域で長期間にわたり高品質で表示することができる。
【００１７】
本発明における電子機器は、上記表示パネルを用いたことを要旨とする。これによれば、表示パネルのサイズが大きくて、厚さの薄い電子機器を実現できる。また、表示パネルのサイズが大きくても、高品質な表示が可能で寿命の長い電子機器を実現することができる。
【発明を実施するための最良の形態】
【００１８】
以下、本発明を具体化した各実施形態を、図面に基づいて説明する。なお、各実施形態の説明において同様の部位には同一の符号を付して重複した説明を省略する。
（第１実施形態）
第１実施形態に係る有機ＥＬパネルを図１〜図７に基づいて説明する。第１実施形態では、移動体の表示モジュールに用いられる有機ＥＬパネルを一例として説明する。図１は第１実施形態に係る有機ＥＬパネルを示しており、図２はその有機ＥＬパネルの分解斜視図である。図６は移動体の表示モジュールが搭載された車両の車室内部を示しており、図７は移動体の表示モジュールの表示状態を示している。
【００１９】
移動体の表示モジュール１は、図１に示すように表示パネルとしての１枚の有機ＥＬパネル１０を備える。この有機ＥＬパネル１０は、発光素子としてエレクトロルミネッセンス（ＥＬ）素子を用いたエレクトロルミネッセンスパネルである。この有機ＥＬパネル１０は、その有効表示エリア１５内に異なる画像を表示する複数（本例では３つ）の実表示領域２，３，４を有している。
【００２０】
図１に示す移動体の表示モジュール１の有機ＥＬパネル１０では、一例として、真中の実表示領域２で、車速をアナログ表示するスピードメータの目盛り９１、数字９２および指針９３を表示する。右側の実表示領域３で、自動車等の車両のエンジン回転数をアナログ表示するタコメータの目盛り９４、数字９５および指針９６を表示する。また、左側の実表示領域４で、カーナビゲーション装置の地図情報等の画像９７を表示する。なお、左側の実表示領域４では、テレビの画像やＤＶＤ装置の画像も表示できるようになっている。
【００２１】
有機ＥＬパネル１０は、図２および図３に示すように、エレクトロルミネッセンス素子としての有機ＥＬ素子２２１をそれぞれ有する複数の画素２２０がマトリクス状に配置された発光素子基板１１と、複数の画素の有機ＥＬ素子２２１全体を密封するように発光素子基板１１に接合される封止基板１２とを備える。図２では複数の画素２２０のうちの一つのみを示してある。
【００２２】
発光素子基板１１上には、図２および図３では図示を省略してあるが、陽極として機能する矩形状の画素電極がマトリクス状に形成されており、各画素電極上に、例えば、正孔注入／輸送層と発光層とが順次積層形成され、発光層が形成された基板のほぼ全面に渡って陰極が形成されている。また、各画素電極には、薄膜トランジスタ（ＴＦＴ）等が電気的に接続されており、各画素電極、その上に形成された正孔注入／輸送層、発光層、および陰極により、各画素２２０の有機ＥＬ素子２２１が構成されている。さらに、発光素子基板１１上には、図２に示すように、複数の電源線、複数の信号線、および複数の制御線
を含む複数の配線（図示省略）の端子部２３が形成されている。
【００２３】
封止基板１２は、図２〜図４に示すように、矩形状の凸部１２ａを有する有底筒状に形成されており、例えば透明なガラス基板で作製されている。封止基板１２は、複数の画素２２０の有機ＥＬ素子２２１全体（各有機ＥＬ素子２２１の陰極全体）を密封するように凸部１２ａの下端面が発光素子基板１１の一面１１ａに接着剤２４で接合されている（図３参照）。この一面１１ａは、各画素２２０の有機ＥＬ素子２２１でそれぞれ発光した光が出射する他面（光出射面）１１ｂとは反対側の面である。
【００２４】
また、封止基板１２には、図２〜図４に示すように、３つの凹部１２ｂ、１２ｃ、１２ｄが形成されている。３つの凹部１２ｂ、１２ｃ、１２ｄは、図１に示す３つの実表示領域２，３，４にそれぞれ対応し、各実表示領域内にある複数の画素２２０の有機ＥＬ素子２２１をそれぞれ収納する。それら３つの凹部１２ｂ、１２ｃ、１２ｄによって、１枚の有機ＥＬパネル１０の有効表示エリア１５内にある全ての画素２２０の有機ＥＬ素子２２１全体を収納している。ここで、有効表示エリア１５は、１枚の有機ＥＬパネル１０内の全ての画素２２０を含む矩形状のアクティブエリア（発光エリア）である。また、図１で符号１６は有効表示エリア１５の周囲の非発光エリアである。
【００２５】
また、封止基板１２には、有機ＥＬ素子２２１の陰極（発光素子の電極）との間に隙間Ｇ（図３参照）をそれぞれ持つように突出した２つの補強部材１２ｅ，１２ｆが形成されている。２つの補強部材１２ｅ，１２ｆは、３つの実表示領域２，３，４の間にできる非表示領域１７，１８（図１，図２参照）内に位置するように設けられている。各補強部材１２ｅ，１２ｆは、矩形状の凸部１２ａの対向する２つの凸部間で延びる梁で構成されている。すなわち、補強部材１２ｅは、円形の実表示領域２と矩形の実表示領域４との間にできる非表示領域１７内に位置するように設けられている。また、補強部材１２ｆは、円形の実表示領域２と円形の実表示領域３の間にできる非表示領域１８内に位置するように設けられている（図１参照）。
【００２６】
このような構成を有する封止基板１２は、透明な１枚のガラス基板をサンドブラストによりくりぬいて作製される。このとき、３つの凹部１２ｂ、１２ｃ、１２ｄを囲む矩形状の凸部１２ａと、２つの補強部材１２ｅ，１２ｆとが残るようにガラス基板をサンドブラストによりくりぬいて、３つの凹部１２ｂ、１２ｃ、１２ｄをガラス基板に形成する。
【００２７】
このようにして作製された封止基板１２では、３つの凹部１２ｂ、１２ｃ、１２ｄが２つの補強部材１２ｅ，１２ｆにより区画されて独立した空間になっている。そして、３つの凹部１２ｂ、１２ｃ、１２ｄには、図２〜図４に示すように、水分を吸収する板状の乾燥剤２０，２１，２２が封止基板１２の内面１２ｇに貼着されて個別に収納されている。
【００２８】
このような有機ＥＬパネル１０を有する移動体の表示モジュール１はさらに、図１に示すように、有機ＥＬパネル１０の発光素子基板１１に接続される３つのフレキシブル配線基板１３ａ〜１３ｃと、パネルカバー３０とを備える。
【００２９】
３つのフレキシブル配線基板１３ａ〜１３ｃの各出力側端子部（図示省略）と、発光素子基板１１の端子部２３とは、異方性導電膜の接着剤を介して熱圧着することで電気的に接続される。また、各フレキシブル配線基板１３ａ〜１３ｃには、（３つの実表示領域２，３，４の各有機ＥＬ素子２２１を駆動する）データ線駆動回路として構成されたドライバＩＣ１４がそれぞれ実装されている。
【００３０】
パネルカバー３０は、有機ＥＬパネル１０の表面、つまり発光素子基板１１の他面（光出射面）１１ｂに固定される。このパネルカバー３０には、有機ＥＬパネル１０の有効表
示エリア１５内に異なる画像を表示する３つの実表示領域２，３，４を外部に見せるための３つの開口部（貫通孔）３３〜３５が設けられている（図１，図７参照）。開口部３３，３４はそれぞれ円形の開口部であり、また、開口部３５は矩形の開口部である。
【００３１】
パネルカバー３０が有機ＥＬパネル１０の表面に固定された移動体の表示モジュール１は、図６に示すように自動車等の車両４０のインストルメントパネル４１に搭載される。こうしてインストルメントパネル４１に搭載された移動体の表示モジュール１の有機ＥＬパネル１０では、図７に示すように、３つの実表示領域２，３，４でそれぞれ異なる画像を表示している。
【００３２】
このように構成された有機ＥＬパネル１０では、封止基板１２が図３に示す状態から発光素子基板１１の有機ＥＬ素子２２１側に湾曲すると、補強部材１２ｅ，１２ｆの先端が各有機ＥＬ素子２２１の陰極（電極）に当たり、封止基板１２がそれ以上に変形するのが阻止されるので、封止基板１２の破損が防止される。
【００３３】
以上のように構成された第１実施形態によれば、以下の作用効果を奏する。
○封止基板１２には、複数の画素２２０の有機ＥＬ素子２２１の陰極と対向する側の内面１２ｇに、有機ＥＬ素子２２１の陰極との間に隙間Ｇを持つように突出した２つの補強部材１２ｅ，１２ｆが形成されている。このような構成により、封止基板１２が有機ＥＬ素子２２１の陰極側に湾曲すると、補強部材１２ｅ，１２ｆの先端が有機ＥＬ素子２２１の陰極に当たり、封止基板１２がそれ以上に変形するのが阻止されるので、封止基板１２の破損が防止される。また、封止基板１２の内面１２ｇにその破損を防止するための補強部材１２ｅ，１２ｆが形成されているので、封止基板の外面に補強板を接合した上記従来技術の表示パネルと比べて、有機ＥＬパネル１０全体の厚さを薄くすることができる。したがって、有機ＥＬパネル１０が厚くなるのを抑制しつつ、有機ＥＬパネル１０の大型化を図ることができる。これにより、厚さが薄くて大型の有機ＥＬパネル１０を実現できる。
【００３４】
○有機ＥＬパネル１０は、その有効表示エリア１５内に異なる画像を表示する３つの実表示領域２，３，４を有し、２つの補強部材１２ｅ，１２ｆは、３つの実表示領域２，３，４の間にできる非表示領域１７，１８内にそれぞれ位置するように設けられている。このような構成により、有効表示エリア１５内の３つの実表示領域２，３，４で異なる画像を表示させるサイズの大きい有機ＥＬパネル１０を作る場合、補強部材１２ｅ，１２ｆが各実表示領域での表示に影響を及ぼすのが抑制される。また、補強部材１２ｅ，１２ｆは、３つの実表示領域２，３，４の間にできる非表示領域に位置するように設けられているので、表示品質の劣化を抑制できるとともに、寿命が短くなるのを抑制できる。したがって、高品質な表示が可能で寿命の長い大型の表示パネルを実現することができる。
【００３５】
○有機ＥＬパネル１０では、補強部材１２ｅ，１２ｆを封止基板１２の矩形状の凸部１２ａの対向する２つの凸部間で延びる梁で構成しており、この梁によって封止基板１２の破損を防止できる。
【００３６】
○有機ＥＬパネル１０では、複数の画素の有機ＥＬ素子２２１全体（陰極全体）を収納する封止基板１２の凹部は、２つの補強部材１２ｅ，１２ｆにより３つの凹部１２ｂ、１２ｃ、１２ｄに区画されている。これら３つの凹部１２ｂ、１２ｃ、１２ｄには、水分を吸収する板状の乾燥剤２０，２１，２２が封止基板１２の内面１２ｇに貼着されて個別に収納されている。このような構成により、一つの有機ＥＬパネル１０において、各実表示領域２，３，４ごとに、封止基板１２の各凹部１２ｂ、１２ｃ、１２ｄ内に浸入する水分を各凹部内の乾燥剤２０，２１，２２で個別に吸収させることができ、有機ＥＬ素子２２１の劣化を抑制できる。
【００３７】
○補強部材１２ｅ，１２ｆを発光素子基板１１側にでなく封止基板１２側に設けてあるので、各種の仕様に対して、発光素子基板１１側は共通にして、封止基板１２の方を仕様によって変えることができる。これにより、一つの有機ＥＬパネルの複数の実表示領域のうち、使用する実表示領域はユーザによって変わるので、複数の仕様を低コストで揃えることができる。
【００３８】
○サイズの大きな有機ＥＬパネル１０は、有効表示エリア１５内の複数の実表示領域２〜４で異なる画像として、例えば自動車等の車両のインストルメントパネルに搭載される場合、スピードメータやタコメータ、ナビゲーション装置の地図画面等の画像を表示させるのに有効となる。
【００３９】
○封止基板１２の内面１２ｇに補強部材１２ｅ，１２ｆが形成されているので、有機ＥＬパネル１０のサイズが大きくて、厚さの薄い移動体の表示モジュールを実現できる。
○有機ＥＬパネル１０を用いた移動体の表示モジュール１では、サイズの大きな有機ＥＬパネルの３つの実表示領域２〜４により、視認性が良く、高品質な表示が可能で寿命の長い移動体の表示モジュールを実現することができる。したがって、耐久性や安全性が重視される自動車等の車両、航空機、船舶、電車等の移動体に搭載される場合、移動体の速度、機関回転数、ナビゲーション装置の地図情報等を３つの実表示領域２〜４で長期間にわたり高品質で表示することができる。
（第２実施形態）
第２実施形態に係る有機ＥＬパネル１０Ａを図８〜図１１に基づいて説明する。この有機ＥＬパネル１０Ａも、第１実施形態に係る有機ＥＬパネル１０と同様に移動体の表示モジュール１に用いられる。第２実施形態に係る有機ＥＬパネル１０Ａは、その有効表示エリア１５内に異なる画像を表示する複数の実表示領域を２つ（実表示領域２，３）としている点で、上記第１実施形態とは異なる。
【００４０】
図８に示す移動体の表示モジュール１の有機ＥＬパネル１０Ａでは、左側の実表示領域２で、スピードメータの目盛り９１、数字９２および指針９３を表示する。右側の実表示領域３で、タコメータの目盛り９４、数字９５および指針９６を表示する。
【００４１】
本例の封止基板１２Ａには、図９〜図１１に示すように、２つの凹部１２ｂ、１２ｃが形成されている。２つの凹部１２ｂ、１２ｃは、図８に示す２つの実表示領域２，３にそれぞれ対応し、各実表示領域内にある複数の画素２２０の有機ＥＬ素子２２１をそれぞれ収納する。
【００４２】
また、封止基板１２Ａには、有機ＥＬ素子２２１の陰極との間に隙間Ｇ（図１０参照）を持つように突出した一つの補強部材１２ｆが形成されている。補強部材１２ｆは、２つの実表示領域２，３の間にできる非表示領域１８（図８参照）内に位置するように設けられている。
【００４３】
このような構成を有する封止基板１２Ａでは、２つの凹部１２ｂ、１２ｃが補強部材１２ｆにより区画されて独立した空間になっている。そして、２つの凹部１２ｂ、１２ｃには、図９〜図１１に示すように、水分を吸収する板状の乾燥剤２０，２１が封止基板１２Ａの内面１２ｇに貼着されて個別に収納される。
【００４４】
このような有機ＥＬパネル１０Ａを有する移動体の表示モジュール１はさらに、図８に示すように、有機ＥＬパネル１０Ａの発光素子基板１１に接続される２つのフレキシブル配線基板１３ｂ，１３ｃと、パネルカバー３０（図５参照）とを備える。各フレキシブル配線基板１３ｂ，１３ｃには、２つの実表示領域２，３の各有機ＥＬ素子２２１を駆動す
るデータ線駆動回路として構成されたドライバＩＣ１４がそれぞれ実装されている。
【００４５】
このように構成された移動体の表示モジュール１に用いた有機ＥＬパネル１０Ａでは、封止基板１２Ａが図１０に示す状態から、発光素子基板１１の有機ＥＬ素子２２１側に湾曲すると、補強部材１２ｆの先端が各有機ＥＬ素子２２１の陰極に当たり、封止基板１２Ａがそれ以上に変形するのが阻止されるので、封止基板１２Ａの破損が防止される。
【００４６】
以上のように構成された第２実施形態によれば、上記第１実施形態と同様の作用効果を奏する。
（第３実施形態）
第３実施形態に係る有機ＥＬパネル１０Ｂを図１２に基づいて説明する。この有機ＥＬパネル１０Ｂでは、その有効表示エリア１５（図１参照）内に異なる画像を表示する複数の実表示領域を３つとしている点では上記第１実施形態と同じである。この有機ＥＬパネル１０Ｂでは、封止基板１２Ｂに設ける２つの補強部材１２ｈ、１２ｉを、矩形状の凸部１２ａから離れて存在する突起で構成している点で、上記第１実施形態の２つの補強部材１２ｅ，１２ｆとは異なる。また、封止基板１２Ｂの凹部１２ｊは、２つの補強部材１２ｈ、１２ｉの周囲空間となっているので、この封止基板１２Ｂでは、その凹部１２ｊにおける補強部材１２ｈ、１２ｉの周囲空間に、水分を吸収する１或いは複数の板状の乾燥剤（図示省略）が内面１２ｇに貼着されて収納される。その他の構成は、上記第１実施形態と同様である。
【００４７】
以上のように構成された第３実施形態によれば、以下の作用効果を奏する。
○２つの補強部材１２ｈ、１２ｉを、矩形状の凸部１２ａから離れて存在する突起で構成しており、この突起によって封止基板１２Ｂの破損を防止できる。
【００４８】
○封止基板１２Ｂの凹部１２ｊにおける補強部材１２ｈ、１２ｉの周囲空間に、１或いは複数の板状の乾燥剤（図示省略）が内面１２ｇに貼着されて収納されるので、封止基板１２Ｂの凹部１２ｊ内に浸入する水分を乾燥剤で吸収することができ、有機ＥＬ素子２２１の劣化を抑制できる。
【００４９】
（第４実施形態）
次に、上記各実施形態で説明した有機ＥＬパネルを用いた電子機器の一例を図１３に基づいて説明する。図１３は、大型テレビ５０の斜視図である。この大型テレビ５０は、例えが上記第１実施形態で説明したサイズの大きい有機ＥＬパネル１０を用いた大型テレビ用の表示ユニット５１と、スピーカー５２と、複数の操作ボタン５３とを備えている。
【００５０】
このような構成を有する第４実施形態によれば、表示ユニット５１のサイズが大きくて、厚さの薄い大型テレビ５０を実現できる。また、表示ユニット５１のサイズが大きくても、高品質な表示が可能で寿命の長い大型テレビ５０を実現することができる。
【００５１】
なお、この発明は以下のように変更して具体化することもできる。
・上記各実施形態では、表示パネルとして有機ＥＬディスプレイに用いる有機ＥＬパネルを一例として説明したが、放電を用いた蛍光型のプラズマディスプレイに用いる表示パネル、電子放出素子を用いたディスプレイ（ＦＥＤ）やＳＥＤ（Surface−Conduction  Electron−Emitter  Display）に用いる表示パネルにも本発明は適用可能で、上記各実施
形態と同様の効果を得ることができる。
【００５２】
・上記第１実施形態では、有機ＥＬパネル１０がその有効表示エリア１５内に異なる画像を表示する３つの実表示領域２〜４を有し、また、上記第２実施形態では、有機ＥＬパネル１０Ａが２つの実表示領域２，３を有する構成について説明したが、本発明はこれに
限定されない。有機ＥＬパネルがその有効表示エリア１５内に「２」および「３」以外の複数の実表示領域を有する構成にも本発明は適用される。
【００５３】
・上記第１実施形態では、有機ＥＬパネル１０は、真中の実表示領域２でスピードメータの画像を、右側の実表示領域３でタコメータの画像を、そして、左側の実表示領域４でカーナビゲーション装置の地図情報等の画像９７を表示するようになっている。本発明は、このような構成に限定されず、各実表示領域で表示する画像の種類や表示位置を異ならせた構成にも本発明は適用可能である。
【００５４】
・上記第１実施形態では、有機ＥＬパネル１０を移動体として自動車等の車両に搭載した移動体の表示モジュール１について一例として説明したが、本発明は、車両以外に、航空機、船舶、電車、二輪車等の移動体に搭載した移動体の表示モジュールにも適用される。
【００５５】
・上記第４実施形態では、上記第１〜第３実施形態で説明した有機ＥＬパネルを用いた電子機器の一例として、大型テレビ５０について説明したが、本発明は、上記第１〜第３実施形態で説明した有機ＥＬパネルを、テレビ以外の電子機器で、大型のディスプレイを用いる電子機器にも適用可能である。
【００５６】
・本発明は、上記第１〜第３実施形態で説明した有機ＥＬパネルを用いた有機ＥＬ表示装置や他の電子機器に広く適用される。
【図面の簡単な説明】
【００５７】
【図１】第１実施形態に係る有機ＥＬパネル全体を示す平面図。
【図２】同有機ＥＬパネルを示す分解斜視図。
【図３】図１のＡ−Ａ矢視断面図。
【図４】同有機ＥＬパネルの封止基板に乾燥剤が収納された状態を示す斜視図。
【図５】同有機ＥＬパネルとパネルカバーを示す分解斜視図。
【図６】同有機ＥＬパネルを用いた移動体の表示モジュールが搭載された車両の車室内部を示す斜視図。
【図７】同表示モジュールの表示状態を示す平面図。
【図８】第２実施形態に係る有機ＥＬパネル全体を示す平面図。
【図９】同有機ＥＬパネルを示す分解斜視図。
【図１０】図８のＢ−Ｂ矢視断面図。
【図１１】同有機ＥＬパネルの封止基板と乾燥剤を示す分解斜視図。
【図１２】第３実施形態に係る有機ＥＬパネルの封止基板を示す斜視図。
【図１３】電子機器としての大型テレビを示す斜視図。電子機器としてのパーソナルコンピュータを示す斜視図。
【符号の説明】
【００５８】
Ｇ…隙間、１…移動体の表示モジュール、２〜４…実表示領域、１０，１０Ａ．１０Ｂ…有機ＥＬパネル、１１…発光素子基板、１２，１２Ａ，１２Ｂ…封止基板、１２ａ…矩形状の凸部、１２ｂ〜１２ｄ，１２ｊ…凹部、１２ｅ，１２ｆ，１２ｈ，１２ｉ…補強部材、１２ｇ…内面、１５…有効表示エリア、１７，１８…非表示領域、２０〜２２…乾燥剤、５０…電子機器としての大型テレビ、９７…画像、２２０…画素、２２１…有機ＥＬ素子。
【図１】
2006252989.tif 000003
【図２】
2006252989.tif 000004
【図３】
2006252989.tif 000005
【図４】
2006252989.tif 000006
【図５】
2006252989.tif 000007
【図６】
2006252989.tif 000008
【図７】
2006252989.tif 000009
【図８】
2006252989.tif 000010
【図９】
2006252989.tif 000011
【図１０】
2006252989.tif 000012
【図１１】
2006252989.tif 000013
【図１２】
2006252989.tif 000014
【図１３】
2006252989.tif 000015